(57)【要約】【課題】特定の視聴者層を対象とする視聴率の調査を行うことのできるデジタル放送システムを提供する。【解決手段】放送局１は、受信装置識別情報グループ生成部１２で生成した指定の属性を有する特定の視聴者の受信装置識別情報グループの受信装置識別情報を放送部１３により番組データに付加して放送する。受信装置２は、選局部２１で選局した番組の番組データに付加された受信装置識別情報を受信装置識別情報抽出部２２により抽出し、自己の受信装置識別情報と一致するときは一致情報生成部２３で一致情報を生成し、送信部２５によりデータ処理センター３へ送信する。データ処理センター３の視聴率算出部３１は、複数の受信装置２から送信された一致情報の個数を集計し、特定の受信装置識別情報のグループに含まれる受信装置識別情報の総数に対する割合を求めて視聴率を算出する。【選択図】図１
2008177934.tif 000002
【特許請求の範囲】
【請求項１】
番組を放送する放送局と、放送を受信する受信装置から送信されるデータを処理するデータ処理センターと、を備えるデジタル放送システムであって、
前記放送局は、
視聴者を識別する視聴者識別情報と前記視聴者の持つ複数の属性と前記視聴者により登録された受信装置識別情報をリンクさせて作成した視聴者情報を格納する視聴者情報データベースと、
属性の指定を受けてその属性を有する前記視聴者の前記受信装置識別情報を前記データベースから抽出し、特定の受信装置識別情報のグループを生成する受信装置識別情報グループ生成手段と、
番組識別情報を有する番組データに前記特定の受信装置識別情報を付加した放送データを生成して放送する放送手段と、
前記放送データの前記番組識別情報と前記番組データに付加された前記特定の受信装置識別情報のグループに関するデータとを１セットにして記憶する受信装置識別情報グループ記憶手段と、
を有し、
前記データ処理センターは、
複数の受信装置から送信されてきた、前記特定の受信装置識別情報が自己の受信装置識別情報と一致したことを示す一致情報、その特定の受信装置識別情報が付加されていた放送データの前記番組識別情報、および自己の受信装置識別情報を受信し、
前記一致情報の個数を集計し、送信されてきた前記番組識別情報とセットにされている前記特定の受信装置識別情報のグループに関するデータを前記放送局の前記受信装置識別情報グループ記憶手段から読み出して、その特定の受信装置識別情報のグループに含まれる受信装置識別情報の総数に対する前記集計した個数の割合を求めて視聴率を算出する視聴率算出手段と、
送信されてきた前記受信装置識別情報を前記放送局の有する前記視聴者情報データベースに格納された前記視聴者情報と照合し、その受信装置識別情報を登録した前記視聴者に景品を提供する景品提供手段と、
を有することを特徴とするデジタル放送システム。
【請求項２】
前記受信装置識別情報グループ生成手段に対する前記属性の指定が番組ごとに行われ、前記受信装置識別情報グループ生成手段が、番組ごとに前記特定の受信装置識別情報のグループを生成することを特徴とする請求項１に記載のデジタル放送システム。
【請求項３】
前記視聴率算出手段は、前記一致情報の個数の集計をその一致情報に付帯している前記番組識別情報ごとに行い、番組ごとの視聴率を算出することを特徴とする請求項２に記載のデジタル放送システム。
【請求項４】
前記データ処理センターは、
送信されてきた前記受信装置識別情報を前記放送局の有する前記視聴者情報データベースに格納された前記視聴者情報と照合し、前記受信装置識別情報を送信してきた視聴者の属性を解析する視聴者属性解析手段を
さらに有することを特徴とする請求項１に記載のデジタル放送システム。
【請求項５】
受信した放送データの中から視聴を希望する番組を選局する選局手段と、
希望した番組を視聴したときにその番組データに付加されている特定の受信装置識別情報を抽出する受信装置識別情報抽出手段と、
抽出された前記特定の受信装置識別情報を自己の受信装置識別情報と比較し、その情報が一致したときは一致情報を生成する一致情報生成手段と、
前記一致情報とその番組の番組識別情報とを１セットにして記憶する一致情報記憶手段と、
外部からの送信指示を受けたときに、前記一致情報記憶手段から読み出した前記１セットの前記一致情報と前記番組識別情報に自己の受信装置識別情報を付帯して送信データを生成し、データ処理センターへ送信する送信手段と、
を有することを特徴とするデジタル放送受信装置。
【発明の詳細な説明】
【技術分野】
【０００１】
本発明は、デジタル放送システムおよびデジタル放送受信装置に関する。
【背景技術】
【０００２】
デジタル放送は、アナログ放送に比べてチャンネル数が多いことが特徴である。そこで、その特徴を生かし、有料の衛星デジタル放送の場合など、チャンネルごとに特定の分野の番組を提供している。その番組も、時間帯などにより、かなり専門性の高い番組が提供されることが多い。その場合、それぞれの番組により、ターゲットとする視聴者層が異なるものと考えられる。したがって、そのような番組の視聴率を調査する場合、ターゲットとする視聴者層における視聴率を求めることが要求される。
【０００３】
しかし、従来の一般的な視聴率調査は、平均的な視聴者における視聴率を求めるものであり、特定の視聴者を対象とする視聴率を求めることは困難である。また、視聴率の調査は、専門会社が専用装置により調査しており、かなりの費用を要する。
【０００４】
これに対して、デジタル放送の特徴の１つであるデータ放送の双方向性を利用して、視聴率を求める方法もある。
【０００５】
データ放送を関連させたテレビ番組では、視聴者が回答するアンケートやクイズなどの双方向性番組が可能である。そのために、デジタル放送受信機は電話モデムを内蔵し、電話回線を経由して視聴者の意思を放送局側へフィードバックするようにしている。そのほかに、インターネット接続機能を有し、インターネット経由でフィードバックすることのできるデジタル放送受信機もある。
【０００６】
このようなデジタル放送の双方向性を利用して、特定の視聴時間測定用コンテンツを放送し、それに対する視聴者からの応答により、その視聴者の視聴時間を測定するデジタル放送システムが提案されている（例えば、特許文献１参照。）。このようなデジタル放送システムを用いれば、応答のあった視聴者の数を集計することにより、放送番組の視聴率の調査も可能である。
【０００７】
しかし、上述のデジタル放送システムでも調査の対象は視聴者全般であり、特定の視聴者層を対象とするものではない。すなわち、従来のデジタル放送システムでは、特定の視聴者層を対象とする視聴率の調査が困難であるという問題があった。
【特許文献１】特開２００１−３２０３４１号公報  （第４〜５ページ、図１）
【発明の開示】
【発明が解決しようとする課題】
【０００８】
そこで、本発明の目的は、特定の視聴者層を対象とする視聴率の調査を行うことのできるデジタル放送システムを提供することにある。
【課題を解決するための手段】
【０００９】
本発明の一態様によれば、番組を放送する放送局と、放送を受信する受信装置から送信されるデータを処理するデータ処理センターと、を備えるデジタル放送システムであって、前記放送局は、視聴者を識別する視聴者識別情報と前記視聴者の持つ複数の属性と前記視聴者により登録された受信装置識別情報をリンクさせて作成した視聴者情報を格納する視聴者情報データベースと、属性の指定を受けてその属性を有する前記視聴者の前記受信装置識別情報を前記データベースから抽出し、特定の受信装置識別情報のグループを生成する受信装置識別情報グループ生成手段と、番組識別情報を有する番組データに前記特定の受信装置識別情報を付加した放送データを生成して放送する放送手段と、前記放送データの前記番組識別情報と前記番組データに付加された前記特定の受信装置識別情報のグループに関するデータとを１セットにして記憶する受信装置識別情報グループ記憶手段と、を有し、前記データ処理センターは、複数の受信装置から送信されてきた、前記特定の受信装置識別情報が自己の受信装置識別情報と一致したことを示す一致情報、その特定の受信装置識別情報が付加されていた放送データの前記番組識別情報、および自己の受信装置識別情報を受信し、前記一致情報の個数を集計し、送信されてきた前記番組識別情報とセットにされている前記特定の受信装置識別情報のグループに関するデータを前記放送局の前記受信装置識別情報グループ記憶手段から読み出して、その特定の受信装置識別情報のグループに含まれる受信装置識別情報の総数に対する前記集計した個数の割合を求めて視聴率を算出する視聴率算出手段と、送信されてきた前記受信装置識別情報を前記放送局の有する前記視聴者情報データベースに格納された前記視聴者情報と照合し、その受信装置識別情報を登録した前記視聴者に景品を提供する景品提供手段と、を有することを特徴とするデジタル放送システムが提供される。
【００１０】
また、本発明の別の一態様によれば、受信した放送データの中から視聴を希望する番組を選局する選局手段と、希望した番組を視聴したときにその番組データに付加されている特定の受信装置識別情報を抽出する受信装置識別情報抽出手段と、抽出された前記特定の受信装置識別情報を自己の受信装置識別情報と比較し、その情報が一致したときは一致情報を生成する一致情報生成手段と、前記一致情報とその番組の番組識別情報とを１セットにして記憶する一致情報記憶手段と、外部からの送信指示を受けたときに、前記一致情報記憶手段から読み出した前記１セットの前記一致情報と前記番組識別情報に自己の受信装置識別情報を付帯して送信データを生成し、データ処理センターへ送信する送信手段と、を有することを特徴とするデジタル放送受信装置が提供される。
【発明の効果】
【００１１】
本発明によれば、特定の視聴者層を対象とする視聴率の調査を行うことができる。
【発明を実施するための最良の形態】
【００１２】
以下、本発明の実施例を図面を参照して説明する。
【実施例１】
【００１３】
現在、日本で放送されている衛星および地上デジタル放送は暗号化されており、予め登録した視聴者のみが受信できる限定受信システムを採用している。この限定受信を解除するために、デジタル放送受信装置にはＢ−ＣＡＳカードと称される限定受信解除用のＩＣカードが添付されており、このＢ−ＣＡＳカードを挿入することにより暗号の解読が行われ、デジタル放送の視聴が可能となる。Ｂ−ＣＡＳカードには１枚ごとに固有の識別情報が付されており、この識別情報により、個々の受信装置の識別が行われる。
【００１４】
図１は、本発明の実施例１に係るデジタル放送システムの構成の例を示すブロック図である。
【００１５】
本実施例のデジタル放送システムは、番組を放送する放送局１と、放送を受信する受信装置２と、受信装置２から送信されるデータを処理するデータ処理センター３と、を備える。
【００１６】
放送局１は、視聴者を識別する視聴者識別情報とその視聴者の持つ複数の属性とその視聴者により登録された受信装置識別情報をリンクさせて作成した視聴者情報を格納する視聴者情報データベース１１と、属性の指定を受けてその属性を有する視聴者の受信装置識別情報をデータベース１１から抽出し、特定の受信装置識別情報のグループを生成する受信装置識別情報グループ生成部１２と、番組識別情報を有する番組データに受信装置識別情報グループ生成部１２により生成された特定の受信装置識別情報を付加した放送データを生成して放送する放送部１３と、生成された放送データの有する番組識別情報とその放送データに含まれる番組データに付加された特定の受信装置識別情報のグループに関するデータとを１セットにして記憶する受信装置識別情報グループ記憶部１４と、を有する。
【００１７】
受信装置２は、受信した放送データの中から視聴を希望する番組を選局する選局部２１と、希望した番組を視聴したときにその番組データに付加された特定の受信装置識別情報を抽出する受信装置識別情報抽出部２２と、抽出された特定の受信装置識別情報を自己の受信装置識別情報と比較し、その情報が一致したときは一致情報を生成する一致情報生成部２３と、生成された一致情報とその番組の番組識別情報とを１セットにして記憶する一致情報記憶部２４と、外部からの送信指示を受けたときに、一致情報記憶部２４から読み出した一致情報および番組識別情報に自己の受信装置識別情報を付帯して送信データを生成し、データ処理センター３へ送信する送信部２５と、を有する。
【００１８】
この受信装置２において、自己の受信装置識別情報は、限定受信解除用のＩＣカード２６から読み出すものとする。
【００１９】
データ処理センター３は、複数の受信装置から送信されてきた一致情報の個数を集計し、その一致情報に付帯している番組識別情報とセットの特定の受信装置識別情報のグループに関するデータを放送局１の受信装置識別情報グループ記憶部１４から読み出して、その特定の受信装置識別情報のグループに含まれる受信装置識別情報の総数に対する集計した個数の割合を求めて視聴率を算出する視聴率算出部３１と、送信されてきた受信装置識別情報を放送局１の有する視聴者情報データベース１１に格納されている視聴者情報と照合し、その受信装置識別情報を登録した視聴者に景品を提供する景品提供部３２と、を有する。
【００２０】
放送局１の視聴者情報データベース１１には、視聴者を識別する視聴者識別情報と、その視聴者の持つ複数の属性と、その視聴者により登録された受信装置識別情報と、をリンクさせて作成した視聴者情報が格納される。
【００２１】
図２に、視聴者情報データベース１１に格納される視聴者情報の構成の例を示す。
【００２２】
視聴者情報は、視聴者を識別する視聴者識別情報とその視聴者の持つ複数の属性とその視聴者により登録された受信装置識別情報により構成される。
【００２３】
視聴者識別情報とは、例えば、視聴者個々に付与した視聴者識別番号などである。
【００２４】
視聴者の持つ属性とは、例えば、性別、年齢、居住地、職業、趣味など、個々の視聴者のプロフィールを形成する特性を指す。視聴者情報には、それらの属性の中で、各視聴者が有する属性を列挙して記載する。
【００２５】
受信装置識別情報には、視聴者により登録された、限定受信解除用のＩＣカード２６に格納されているそれぞれの受信装置固有の識別番号が含まれる。
【００２６】
視聴者情報データベース１１には、これらの視聴者情報が、それぞれの視聴者ごとに区分して格納されている。
【００２７】
この視聴者情報データベース１１から、特定のプロフィールを有する視聴者層を抽出したいときは、そのプロフィールを特定する属性を受信装置識別情報グループ生成部１２に対して指定する。
【００２８】
受信装置識別情報グループ生成部１２は、属性の指定を受けると、その属性を有する視聴者の受信装置識別情報をデータベース１１から抽出し、特定の受信装置識別情報のグループを生成する。
【００２９】
図３に、受信装置識別情報グループ生成部１２で生成される受信装置識別情報グループの構成の例を示す。
【００３０】
例えば、ある属性を指定したときに、［受信装置識別番号１］、［受信装置識別番号３］、［受信装置識別番号７］、［受信装置識別番号８］、・・・の総計ｎ１個の受信装置識別情報が抽出されたときは、このｎ１個の受信装置識別情報のグループを１つの受信装置識別情報グループとする。ここでは、受信装置識別情報グループに［グループ番号１］というグループ番号を付与するものとする。
【００３１】
また、別の属性を指定したときに、［受信装置識別番号１］、［受信装置識別番号２］、［受信装置識別番号４］、［受信装置識別番号９］、・・・の総計ｎ２個の受信装置識別情報が抽出されたとすると、このｎ２個の受信装置識別情報のグループに［グループ番号２］というグループ番号を付与して、これを１つの受信装置識別情報グループとする。
【００３２】
放送局１は、ある番組のある特定の視聴者層における視聴率を調査したいときは、その視聴者層を特定する属性を指定して、受信装置識別情報グループ生成部１２によりその番組用の特定の受信装置識別情報グループを生成する。
【００３３】
放送部１３は、その特定の受信装置識別情報グループに属する受信装置識別情報をその番組データに付加して放送データを作成し、放送する。ここで、デジタル放送では、それぞれの番組データに、番組識別情報が付与されている。したがって、放送部１３で生成される放送データは、図４に示すような構成をとる。
【００３４】
図４は、放送部１３で生成される放送データの構成を模式的に示した図である。
【００３５】
放送部１３で生成される放送データは、番組識別情報と番組データに、その番組用に生成された特定の受信装置識別情報が付加された構成をとる。図４では、番組識別情報として［番組識別番号１］が付与された番組データに、特定の受信装置識別情報として、例えば、図３に示した［グループ番号１］の受信装置識別情報グループが生成された場合を示す。この場合、番組データに付加される受信装置識別情報は、［受信装置識別番号１］、［受信装置識別番号３］、［受信装置識別番号７］、［受信装置識別番号８］、・・・となる。
【００３６】
なお、放送データ中の受信装置識別情報のビット長は、可変とすることができる。すなわち、受信装置識別情報がｍビットで構成されるとき、そのｍビット総てとしてもよいし、その中の下位ｎビット（ｍ＞ｎ）としてもよい。下位ｎビットとした場合は、該当する複数の受信装置が一度に指定される。このような送信する受信装置識別情報のビット長の設定により、１つの受信装置識別情報に対する調査対象の視聴者を1人から任意の人数まで選択することができる。
【００３７】
受信装置識別情報グループ記憶部１４は、放送部１３で生成される放送データに対して、各番組の番組識別情報と、各番組データに付加された特定の受信装置識別情報のグループに関するデータとを１セットにして記憶する。ここで、特定の受信装置識別情報のグループに関するデータとしては、各グループのグループ番号およびそのグループに含まれる受信装置識別情報の総数を記憶する。
【００３８】
図５に、受信装置識別情報グループ記憶部１４に記憶されるデータの例を示す。
【００３９】
この受信装置識別情報グループ記憶部１４に記憶されたデータにより、各番組と、その番組に付加された受信装置識別情報のグループおよびそのグループに含まれる受信装置識別情報の個数と、が対応付けられる。
【００４０】
受信装置２は、放送局１から放送される、放送部１３で生成された放送データを受信する。
【００４１】
選局部２１は、受信した放送データの中から視聴を希望する番組を選局する。
【００４２】
受信装置識別情報抽出部２２は、希望した番組を視聴したときに、その番組データに付加された特定の受信装置識別情報を抽出する。
【００４３】
一致情報生成部２３は、受信装置識別情報抽出部２２により抽出された特定の受信装置識別情報を、ＩＣカード２６に格納されている自己の受信装置識別情報と比較し、その情報が一致したときは、一致情報を生成する。
【００４４】
一致情報記憶部２４は、一致情報生成部２３により生成された一致情報と、選局部２１から出力されるその番組の番組識別情報と、を１セットにして記憶する。
【００４５】
送信部２５は、外部からの送信指示を受けたときに、一致情報記憶部２４から読み出した一致情報と番組識別情報の１セットのデータに、ＩＣカード２６から読み出した自己の受信装置識別情報を付帯して送信データを生成し、データ処理センター３へ送信する。
【００４６】
図６に、送信部２５で生成される送信データの構成の例を示す。
【００４７】
送信部２５で生成される送信データは、番組識別情報と、一致情報と、自己の受信装置識別情報と、を１組として構成される。
【００４８】
データ処理センター３は、複数の受信装置から送信されてくる送信データを受信し、その送信データに対する処理を行う。
【００４９】
視聴率算出部３１は、複数の受信装置から送信されてきた一致情報の個数を集計し、その一致情報に付帯している番組識別情報を読み取り、放送局１の受信装置識別情報グループ記憶部１４から、その番組識別情報とセットになっている特定の受信装置識別情報のグループに関するデータを読み出す。受信装置識別情報グループ記憶部１４から読み出したデータには、その特定の受信装置識別情報のグループに含まれる受信装置識別情報の総数が記載されている。そこで、視聴率算出部３１は、この受信装置識別情報の総数に対する集計した一致情報の個数の割合を求め、これを視聴率として算出する。
【００５０】
例えば、一致情報に付帯している番組識別情報が図５に示す［番組識別番号１］であり、その番組識別情報とセットになっている特定の受信装置識別情報のグループに含まれる受信装置識別情報の総数がｎ１であるときに、集計した一致情報の個数がｋ１であるときは、視聴率算出部３１は、視聴率＝ｋ１／ｎ１、と算出する。
【００５１】
景品提供部３２は、送信されてきた受信装置識別情報を、放送局１の有する視聴者情報データベース１１に格納されている視聴者情報と照合し、その受信装置識別情報を登録した視聴者に景品を提供する。この景品は、送信データの送信に対する謝礼として提供されるものである。景品の提供により視聴者による送信データの送信が促進され、視聴率調査の精度が向上する。
【００５２】
このような本実施例によれば、番組ごとに視聴者層を特定する属性を指定して、その番組用の特定の受信装置識別情報グループを生成し、番組データに、その受信装置識別情報グループに含まれる受信装置識別情報を付加して放送することにより、その番組の特定の視聴者層における視聴率を調査することができる。
【実施例２】
【００５３】
本実施例では、実施例１のデータ処理センター３に置き換えて、データ処理センター３にさらに視聴者属性解析部３３を追加したデータ処理センター３Ａを設けるデジタル放送システムの例を示す。
【００５４】
図７に、データ処理センター３Ａの構成の例を示す。
【００５５】
データ処理センター３Ａは、視聴率算出部３１と、景品提供部３２と、視聴者属性解析部３３と、を有する。視聴率算出部３１および景品提供部３２は、実施例１と同じ機能を有するものであるので、ここでは、その説明を省略する。
【００５６】
視聴者属性解析部３３は、複数の受信装置２から送信されてきた送信データ中の受信装置識別情報を、放送局１の有する視聴者情報データベース１１に格納されている視聴者情報と照合し、その受信装置識別情報を送信してきた視聴者の属性を解析する。
【００５７】
図８に、視聴者属性解析部３３による解析の例を示す。
【００５８】
ここでは、解析として、受信装置識別情報を送信してきた視聴者の属性のヒストグラム解析を行った例を示す。
【００５９】
この例では、当初の属性の指定として、［属性４］と［属性５］を指定したものとする。したがって、ヒストグラム解析を行うと、当然、［属性４］と［属性５］にピークがある。ところが、その他にも、例えば、［属性１］と［属性７］も高い分布を示すとすれば、この視聴者層の特徴をより明確にすることができる。
【００６０】
このような本実施例によれば、番組を実際に視聴した視聴者の属性の特徴をより明確に把握することができる。
【図面の簡単な説明】
【００６１】
【図１】本発明の実施例１に係るデジタル放送システムの構成の例を示すブロック図。
【図２】実施例１の視聴者情報データベースに格納される視聴者情報の構成の例を示す図。
【図３】実施例１の受信装置識別情報グループ生成部で生成される受信装置識別情報グループの構成の例を示す図。
【図４】実施例１の放送部で生成される放送データの概念を示す図。
【図５】実施例１の受信装置識別情報グループ記憶部に記憶されるデータの例を示す図。
【図６】実施例１の送信部で生成される送信データの構成の例を示す図。
【図７】本発明の実施例２に係るデジタル放送システムにおけるデータ処理センターの構成の例を示すブロック図。
【図８】実施例２の視聴者属性解析部による解析の例を示す図。
【符号の説明】
【００６２】
１  放送局
２  受信装置
３、３Ａ  データ処理センター
１１  視聴者情報データベース
１２  受信装置識別情報グループ生成部
１３  放送部
１４  受信装置識別情報グループ記憶部
２１  選局部
２２  受信装置識別情報抽出部
２３  一致情報生成部
２４  一致情報記憶部
２５  送信部
２６  ＩＣカード
３１  視聴率算出部
３２  景品提供部
３３  視聴者属性解析部
【図１】
2008177934.tif 000003
【図２】
2008177934.tif 000004
【図３】
2008177934.tif 000005
【図４】
2008177934.tif 000006
【図５】
2008177934.tif 000007
【図６】
2008177934.tif 000008
【図７】
2008177934.tif 000009
【図８】
2008177934.tif 000010